(57)【要約】【課題】ディスクドライブ装置の全高を低くする。【解決手段】ディスクカートリッジ１２を昇降するステージ３１の左右をメカデッキ１６上の左右一対の垂直状のステージ支持フレーム１９ｂ間で支持するディスクドライブ装置１において、左右一対のステージ支持フレーム１９ｂの上端部１９ｃ間を連結する補強用フレーム２をステージ３１の上下方向の平行移動空間の下側に沿ってほぼコ字状に配置して、外筐７の全高Ｈ１を低くする。【選択図】図２
2006139885.tif 000002
【特許請求の範囲】
【請求項１】
記録媒体を収納したカートリッジが挿入／排出されるステージと、
該ステージの左右両側を支持する一対のステージ支持フレームが搭載されたメカデッキと、
前記左右一対のステージ支持フレームの上端部間を連結する補強用フレームと、
前記左右一対のステージ支持フレーム間に搭載されて、前記カートリッジの挿入／排出方向にスライド駆動されることにより、前記ステージをスライドカム機構によって前記カートリッジの挿入位置と、その挿入されたカートリッジ内の前記記録媒体を記録及び／又は再生する装着位置との間で前記挿入／排出方向と直交する上下方向へ平行移動するスライド板とを備え、
前記メカデッキを外筐内に複数の緩衝手段によって浮動状態に載置したドライド装置において、
前記左右一対のステージ支持フレームの上端部間を連結する補強用フレームを前記ステージの平行移動空間の下側に沿ってほぼコ字状に配置した
ことを特徴とするドライブ装置。
【請求項２】
前記スライド板を前記補強用フレームの上部の内側に沿ってほぼコ字状に配置した
ことを特徴とする請求項１に記載のドライブ装置。
【請求項３】
前記記録媒体がディスク状記録媒体である
ことを特徴とする請求項１に記載のドライブ装置。
【請求項４】
前記ステージ、ステージ支持フレーム、補強用フレーム、スライド板が板金でプレス加工品されている
ことを特徴とする請求項１に記載のドライブ装置。
【発明の詳細な説明】
【技術分野】
【０００１】
本発明は、ディスクカートリッジをローディングして、内部のディスクを記録及び／又は再生するディスクドライブ装置に適用するのに最適なドライブ装置に関するものである。
【背景技術】
【０００２】
図５〜図８は、カートリッジの一例であって、内部に記録媒体である光ディスク１１が収納されたディスクカートリッジ１２を使用するドライブ装置の一例である従来の一般的なフロントローディング方式のディスクドライブ装置１３を示したものである。
この種のディスクドライブ装置１３は、光ディスク１１がディスクカートリッジ１２によってローディングされるメカデッキ１６を外筐１７内に複数（例えば、前後、左右の４箇所）の緩衝手段１８によって浮動状態（フローティング構造）に搭載して、光ディスク１１の記録及び／又は再生中の外乱（外部振動）に対する防振性を確保する構造を採用している。
【０００３】
この際、詳しくは、アルミ・ダイカスト等からなるステージ１６が、板金にて上向きのほぼコ字状にプレス加工されたメカデッキフレーム１９の水平な底板部１９ａ上にネジ止め等にて水平状に固着されていて、このメカデッキフレーム１９には底板部１９ａの左右両端から上方へ直角状に折り曲げられた左右一対の垂直状（平行状）のステージ支持フレーム１９ｂが形成されている。この左右一対のステージ支持フレーム１９ｂはメカデッキ１６より十分に高い上方位置まで延出されている。
そして、メカデッキフレーム１９の左右一対のステージ支持フレーム１９ｂの上端部１９ｃ間が、板金にて、このメカデッキ１９とは上下逆向きである下向きのほぼコ字状にプレス加工された補強用フレーム２０によって補強されている。つまり、この補強用フレーム２０の天板部２０ａの左右両端から下方へ直角状に折り曲げられた左右一対の垂直状（平行状）の側板部２０ｂの下端部２０ｃがメカデッキフレーム１９の左右一対のステージ支持フレーム１９ｂの上端部１９ｃに複数の止ネジ２１によって固着されて、この補強用フレーム２０によって左右一対のステージ支持フレーム１９ｂの上端部１９ｃ間がほぼコ字状に連結されて補強されている。
【０００４】
また、外筐１７は、板金にて、断面形状が上下対称状のほぼコ字状にプレス加工された外筐底部（ボトムケース）１７ａと外筐上部（トップカバー）１７ｂとによって構成されていて、これら外筐底部１７ａと外筐上部１７ｂは上下から嵌合されて複数の止ネジ２２によって脱着可能に固着されている。
また、複数の緩衝手段１８としては、軟質ゴムや軟質プラスチック、或いは、スプリング等の弾性部材が使用されるが、ここでは、軟質ゴム等にて、外形がほぼダルマ形に成形された中空状の緩衝手段１８を示している。そして、４つの緩衝手段１８をそれぞれ外周の上下中間部に形成された小径部１８ａによってメカデッキフレーム１９の底板部１９ａの前後４箇所にプレス加工された４つの緩衝手段支持部１９ｄ内に嵌合して、これら４つの緩衝手段１８を外筐底部１７ａ上に載置し、これら４つの緩衝手段１８の中央部を４つの止ネジ２３によって外筐底部１７ａ上に上方から係止することにより、メカデッキ１６を外筐１７内に浮動状態（フローティング）に支持している。
【０００５】
そして、メカデッキ１６上部のほぼ中央部には、スピンドルモータ２５が上向きの垂直状に搭載されていて、そのスピンドルモータ２５の上部にはスピンドル２５ａによって回転駆動される水平状のターンテーブル２５ｂが設けられている。
また、メカデッキ１６上の前後２箇所には、左右各一対（合計４本）の高さ基準ピン兼用の位置決めピン２６と、高さ基準ピン２７が一体成形等にて垂直状に設けられている。なお、左右一対の位置決めピン２６は上端に形成された水平状の高さ基準面２６ａの中央上部の位置決め用の円錐ピン２６ｂが設けられていて、左右一対の高さ基準ピン２７は上端が水平状の高さ基準面２７ａに形成されている。なお、ディスクカートリッジ１２の底面１２ａで、後端側の左右２箇所には左右一対の位置決めピン２６の円錐ピン２６ｂに嵌合される左右一対の位置決め穴１２ｂが形成されている。また、メカデッキ１６上には光ディスク１１を記録及び／又は再生する光学ピックアップ（図示省略）が搭載されている。
【０００６】
そして、ディスクカートリッジ１２をメカデッキ１６上の左右各一対（合計４個）の高さ基準ピン兼用位置決めピン２６と高さ基準ピン２７上にローディングするローディング機構３０は、それぞれ板金にてプレス加工されたステージ３１とスライド板３２とを備えている。ステージ３１は水平な天板部３１ａと、その天板部３１ａの左右両端から下方へ直角状に折り曲げられた垂直状の左右一対の側板部３１ｂと、これらの両側板部３１ｂの下端から内側（相対向する方向）へ直角状に折り曲げられた小幅形状で水平な左右一対の底板部３１ｃとによって扁平なＣ型形状に形成されている。
また、スライド板３２は水平な天板部３２ａと、その天板部３２ａの左右両端から下方へ直角状に折り曲げられた左右一対の垂直状の側板部３２ｂによって上向きのほぼコ字状に形成されている。
【０００７】
そして、メカデッキ１６の上方位置で、メカデッキフレーム１９の左右一対のステージ支持フレーム１９ｂ及び補強用フレーム２０の内側位置にスライド板３２が水平状に配置され、更に、そのスライド板３２の内側にステージ３１が水平状に配置されていて、ステージ３１の天板部３１ａの上部にスライド板３２の天板部３２ａと補強用フレーム２０の天板部２０ａが２層状に重ねられた構造に構成されている。
また、スライド板３２の左右一対の側板部３２ｂの外側の前後方向の２箇所に水平状に固着された左右各一対（合計４個）のガイドピン３３が補強用フレーム２０の左右一対の側板部２０ｂ及び／又は左右一対のステージ支持フレーム１９ｂに形成された左右各一対（合計４個）の水平ガイド溝３４内にスライド自在に挿入されている。従って、このスライド板３２は左右一対のステージ支持フレーム１９ｂ間で、前後方向である矢印ａ、ｂ方向へスライド自在に構成されている。
【０００８】
また、スライド板３２を前後方向である矢印ａ、ｂ方向へスライド駆動することにより、ステージ３１を上下方向である矢印ｃ、ｄ方向へ平行運動によって昇降駆動するためのスライドカム機構３５が、スライド板３２の左右両側板部３２ｂの前後２箇所に形成されて、水平基準に対して約４５°に傾斜されている左右各一対（合計４個）のカム溝３６と、ステージ３１の左右両側板部３１ｂの外側の前後２箇所に水平状に固着されて、左右各一対のカム溝３６内に挿通された左右各一対（合計４個）のカム従動ピン３７と、左右一対のステージ支持フレーム１９ｂの前後方向のほぼ中央部に垂直状に形成された左右一対の垂直ガイド溝３８と、ステージ３１の左右両側板部３１ｂの前後方向のほぼ中央部の外側に水平状に固着されて、左右一対の垂直ガイド溝３８内に挿通された左右一対のガイドピン３９とによって構成されている。
【０００９】
なお、左右各一対のガイドピン３９はスライド板３２の左右両側板部３２ｂの前後方向のほぼ中央部に形成された大きな開口部（切欠き）４０を挿通して左右一対の垂直ガイド溝３８内に挿通されている。また、左右一対のステージ支持フレーム１９ｂには左右各一対のカム従動ピン３７の先端部に対する逃げ用の垂直状の開口部４１が左右各一対（合計４個）形成されている。
【００１０】
このように構成されたローディング機構３０によれば、図５及び図７に示すように、スライド板３２が後退位置Ｐ３まで矢印ａ方向へ後退されて、ステージ３１が上昇位置Ｐ１まで矢印ｄ方向へ上昇されている状態で、ディスクカートリッジ１２のローディングが開始される。
即ち、カートリッジ１２が外筐１７の前面のカートリッジ挿入口１７ｃからステージ３１内の所定位置まで矢印ａ方向に水平に挿入されて停止されると、そのディスクカートリッジ１２はステージ３１の天板部３１ａの下面に付設されている圧着バネ（図示せず）等の押圧手段によって、そのステージ３１の底部の左右両底板部３１ｃ上に弾性的に圧着される。
そして、ディスクカートリッジ１２がステージ３１内の所定位置まで矢印ａ方向に挿入されると、スイッチ（図示せず）によってディスクカートリッジ１２の挿入完了が検出されて、スライド板３２がモータ等の駆動手段（図示せず）によって図７に示す後退位置Ｐ３から図８に示す前進位置Ｐ４まで矢印ｂ方向へスライド駆動される。
【００１１】
すると、スライドカム機構３５の合計４個のカム溝３６が合計４個のカム従動ピン３７に対して矢印ｂ方向へ水平移動される。
この際、合計２個のガイドピン３９が合計２個の垂直ガイド溝３８内にあって、ステージ３１の矢印ｂ方向への水平移動を禁止していることから、相対的に、合計４個のカム従動ピン３７が合計４個のカム溝３６の上端３６ａから傾斜部３６ｂを経て下端３６ｃまで滑り降りることになり、この間、合計２個のガイドピン３９は合計２個の垂直ガイド溝３８の上端から下端へ矢印ｃ方向へ垂直に下降する。
【００１２】
そして、このスライドカム機構３５によるカム作用によって、ステージ３１が図５及び図７に示す上昇位置Ｐ１から図６及び図８に示す下降位置Ｐ２まで水平状態を保ったまま矢印ｃ方向へ下降（平行移動）されて、ディスクカートリッジ１２がメカデッキ１６上に矢印ｃ方向から水平にローディングされる。
このディスクカートリッジ１２のローディングによって、ディスクカートリッジ１２の底面１２ａの左右一対の位置決め穴１２ｂがメカデッキ１６上の左右一対の位置決めピン２６の円錐ピン２６ｂに上方から嵌合されると共に、そのディスクカートリッジ１２の底面１２ａが左右一対の位置決めピン２６及び高さ基準ピン２７の高さ基準面２６ａ、２７ａ上にステージ３１内の図示省略した圧着バネ等に抗して水平に載置されて位置決めされる。
【００１３】
そして、このディスクカートリッジ１２のローディングによって、光ディスク１１がスピンドルモータ２５のターンテーブル２５ｂ上にチャッキングされて、このディスクカートリッジ１２内の上下中間位置へ浮上される。この後、スピンドルモータ２５のスピンドル２５ａによってターンテーブル２５ｂと一体に光ディスク１１がディスクカートリッジ１２内で回転駆動され、図示省略した光学ピックアップによって光ディスク１１のデータの記録及び／又は再生が行われる。
なお、ディスクカートリッジ１２のアンローディング動作は、上述したローディング動作の逆動作によって行われる。
【００１４】
即ち、スライド板３２が図示省略したモータ等の駆動手段によって、図８に示す前進位置Ｐ４から図７に示す後退位置Ｐ３まで矢印ａ方向へスライド駆動されると、スライドカム機構３５のガイドピン３９が垂直ガイド溝３８に沿って矢印ｄ方向へ垂直に上昇されながら、各カム従動ピン３７が各カム溝３６の下端３６ｃから各傾斜部３６ｂを上昇して上端３６ａまで押し上げられる。これにより、ステージ３１が図６及び図８に示す下降位置Ｐ２から図５及び図７に示す上昇位置Ｐ１まで矢印ｄ方向へ上昇（平行移動）されることになる。
【特許文献１】特願平５−３４２７３３号公報
【発明の開示】
【発明が解決しようとする課題】
【００１５】
図５〜図８によって説明したように、光ディスク１１がディスクカートリッジ１２によってローディングされるメカデッキ１６を外筐１７内に複数の緩衝手段１８によって浮動状態（フローティング構造）に搭載して、光ディスク１１のデータの記録及び／又は再生中の外乱（外部振動）に対する防振性を確保する構造を採用した従来のディスクドライブ装置１３では、上昇位置Ｐ１と下降位置Ｐ２との間で水平状態のまま上下方向（矢印ｄ、ｃ方向）へ平行移動されるステージ３１の上下移動空間の上部をほぼコ字状に跨ぐように補強用フレーム２０及びスライド板３２を配置していたために、外筐１７の全高Ｈ１１が著しく高くなると言う問題があった。
【００１６】
即ち、フローティング構造は、図６に示すように、メカデッキ１６上にローディングされたディスクカートリッジ１２内の光ディスク１１がスピンドルモータ２５によって回転駆動されて、データの記録及び／又は再生が行われている最中に、外筐１７を介して複数のメカデッキ１６に伝えられる外部振動を複数の緩衝手段１８によって緩衝することを目的としたものである。
このために、従来のディスクドライブ装置１３では、ステージ３１が上昇位置Ｐ１又は下降位置Ｐ２の何れに位置しているか否かに拘らず、ステージ３１の上下移動空間の上部をほぼコ字状に跨ぐように閉塞（クローズド構造）している補強用フレーム２０及びスライド板３２の天板部２０ａ、３２ａの上部で、外筐１７の外筐上部１７ｂとの間に衝撃吸収ゾーン（外部振動によって外筐１７と補強用フレーム２０の天板部２０ａ等とが接触されないための空間）Ｈ１２を設置しなければならない上に、その衝撃吸収ゾーンＨ１２の下部には、補強用フレーム２０の天板部２０ａとスライド板３２の天板部３２ａとの合計の板厚＋αの空間Ｈ１３が存在することから、外筐１７の全高Ｈ１１が著しく高くなると言う問題があった。
【課題を解決するための手段】
【００１７】
本発明のドライブ装置は、外筐の高さを低くすることができるようにするために、記録媒体を収納したカートリッジが挿入／排出されるステージと、該ステージの左右両側を支持する一対のステージ支持フレームが搭載されたメカデッキと、前記左右一対のステージ支持フレームの上端部間を連結する補強用フレームと、前記左右一対のステージ支持フレーム間に搭載されて、前記カートリッジの挿入／排出方向にスライド駆動されることにより、前記ステージをスライドカム機構によって前記カートリッジの挿入位置と、その挿入されたカートリッジ内の前記記録媒体を記録及び／又は再生する装着位置との間で前記挿入／排出方向と直交する上下方向へ平行移動するスライド板とを備え、前記メカデッキを外筐内に複数の緩衝手段によって浮動状態に載置したドライド装置において、前記左右一対のステージ支持フレームの上端部間を連結する補強用フレームを前記ステージの平行移動空間の下側に沿ってほぼコ字状に配置したものである。
【発明の効果】
【００１８】
本発明のドライブ装置は、メカデッキに搭載されている左右一対のステージ支持フレームの上端部間を連結する補強用フレームを、ステージの平行移動空間の下側に沿ってほぼコ字状に配置したので、ステージの上部を補強用フレーム及びスライド板が存在しない完全なオープン構造に構成することができる。そして、ステージの下降によってカートリッジがメカデッキ上にローディングされて、記録媒体の記録及び／又は再生が行われる際には、ステージの上部と外筐上部との間に、そのステージの下降によって形成される大きな（深い）衝撃吸収ゾーンを形成することができる上に、そのステージの上部に補強用フレーム及びスライド板が存在しないことから、外筐の全高を従来に比べて著しく小さくすることができて、セットの小型化を実現できた。
【発明を実施するための最良の形態】
【００１９】
ステージを左右一対のステージ支持フレーム間で昇降駆動するスライド板を補強用フレームの内側に沿ってほぼコ字状に配置することによって、外筐の全高を小さくすることができる。
【実施例１】
【００２０】
本発明を適用したドライブ装置の一例であるディスクドライブ装置の一実施例を図１〜図４によって説明する。但し、図５〜図８と同一構造部には同一の符号を付すことにより、説明の重複を省いている。
【００２１】
本発明のディスクドライブ装置１は、左右一対のステージ支持フレーム１９ｂの上端部１９ｃ間を連結する板金フレームからなるほぼコ字状の補強用フレーム２と、ステージ３１を昇降駆動する板金フレームからなるほぼコ字状のスライド板３とを図５〜図８に示した従来の補強用フレーム２０とスライド板３２のコ字状形状の上下逆向きに形成している。
そして、これら補強用フレーム２とスライド板３２を図１に示す上昇位置Ｐ１と図２に示す下降位置Ｐ２との間で上下方向（矢印ｄ、ｃ方向）に平行移動されるステージ３１の平行移動空間の下側に沿って上向きのほぼコ字状に配置したものである。
【００２２】
この際、補強用フレーム２は水平な底板部２ａとその底板部２ａの左右両端から上方へ直角状にプレス加工された左右一対の垂直状の側板部２ｂとを有している。そして、底板部２ａに形成されている複数の穴又は切欠き（何れも図示せず）によってスピンドルモータ２５、左右各一対の高さ基準ピン兼用位置決めピン２６及び高さ基準ピン２７、光学ピックアップ等を挿通させた状態で、この底板部２ａの左右両端部分を左右一対のステージ支持フレーム１９ｂの上下方向のほぼ中間部分から相対向する方向である内側方向へ直角状にプレス加工された水平状をなす左右一対の支持板部１９ｅ上に水平状に載置している。そして、その底板部２ａの左右一対の垂直状の側板部２ｂを左右一対のステージ支持フレーム１９ｂの上端部１９ｃの内側に平行状に密着させた状態で、これら補強用フレーム２の左右一対の側板部２ｂとステージ支持フレーム１９ｂの左右一対の上端部１９ｃとをネジ止め等にて相互に固着することによって、左右一対のステージ支持フレーム１９ｂの上端部１９ｃ間を補強用フレーム２によって強固に補強している。
【００２３】
また、スライド板３も水平な底板部３ａと、その底板部３ａの左右両端から上方へ直角状にプレス加工された左右一対の垂直状の側板部３ｂとを有していて、底板部３ａのほぼ中央部にはスピンドルモータ２５、左右各一対の高さ基準ピン兼用位置決めピン２６及び高さ基準ピン２７、光学ピックアップ等に対する逃げ用の切欠き４が形成されている。そして、このスライド板３の底板部３ａの左右両端部が補強用フレーム２の底板部２ａ上に平行状に配置され、このスライド板３の左右一対の側板部３ｂが補強用フレーム２の左右一対の側板部２ｂの内側に平行状に配置されている。
【００２４】
そして、前述した従来のディスクドライブ装置１３と同様に、ローディング機構３０は、スライド板３の左右一対の側板部３ｂと左右一対のステージ支持フレーム１９ｂとの間に、左右各一対の水平ガイドピン３３と水平ガイド溝３４とからなるスライド板３の水平ガイド溝（矢印ａ、ｂ方向のガイド機構）と、左右各一対のカム溝３６及びカム従動ピン３７と、左右一対の垂直ガイド溝３８とガイドピン３９とからなるスライドカム機構３５や逃げ用の開口部４０、４１等が備えられている。
【００２５】
従って、本発明のディスクドライブ装置１も、前述した従来のディスクドライブ装置１３と同様に、スライド駆動手段（図示せず）によってスライド板３を図３に示す後退位置Ｐ３から図４に示す前進位置Ｐ４まで矢印ｂ方向にスライド駆動することにより、スライドカム機構３５によって、ステージ３１を図１に示す上昇位置Ｐ１から図２に示す下降位置Ｐ２まで矢印ｃ方向に平行状に下降させて、ディスクカートリッジ１２をメカデッキ１６上の左右各一対の高さ基準ピン兼用位置決めピン２６及び高さ基準ピン２７上に水平状にローディングすると共に、ディスクカートリッジ１２内の光ディスク１１をスピンドルモータ２５のターンテーブル２５ｂ上に水平状にチャッキングすることができるものである。
【００２６】
また、スライド板３を図４に示す前進位置Ｐ４から図３に示す後退位置Ｐ３まで矢印ａ方向にスライド駆動することにより、スライドカム機構３５によって、ステージ３１を図２に示す下降位置Ｐ２から図１に示す上昇位置Ｐ１まで矢印ｄ方向に平行状に上昇させて、ディスクカートリッジ１２をメカデッキ１６の上方へアンローディングすることができるものである。
そして、本発明のディスクドライブ装置１の外筐７は、従来のディスクドライブ装置１３の外筐１７と同様に、外筐底部７ａの上部に外筐上部７ｂを嵌合させて、複数の止ネジ８によって結合されている。
【００２７】
そして、本発明のディスクドライブ装置１によれば、補強用フレーム２、スライド板３を左右一対のステージ支持フレーム１９ｂの上端部１９ｃ間にて、ステージ３１の上下方向（矢印ｃ、ｄ方向）の平行移動空間の下側に沿ってほぼコ字状に配置したことにより、ステージ３１の上部を補強用フレーム２０及びスライド板３２が存在しない完全なオープン構造に構成することができる。従って、図２及び図４に示すように、ステージ３１が下降位置Ｐ４まで矢印ｄ方向に下降されて、ディスクカートリッジ１２がメカデッキ１６上に水平状にローディングされ、ディスクカートリッジ１２内の光ディスク１１がスピンドルモータ２５のターンテーブル２５ｂ上にチャッキングされて回転駆動されながら、図示省略した光学ピックアップによって光ディスク１１のデータの記録及び／又は再生が行われる際には、ステージ３１の上部と外筐上部１７ｂとの間に、そのステージ３１の下降によって形成される大きな衝撃吸収ゾーンＨ２を形成することができる。このように、本発明のディスクドライブ装置１によれば、ステージ３１の上部に補強用フレーム２０及びスライド板３２が存在しないことから、外筐７の全高Ｈ１を従来のディスクドライブ装置１３の外筐１７の全高Ｈ１１にさ比べて補強用フレーム２０及びスライド板３２の両点板部２０ａ、３２ａの合計の板厚＋αの高さ相当分だけ著しく小さく構成することができて、セットの小型化を実現できた。
【産業上の利用可能性】
【００２８】
以上、本発明の一実施例に付き述べたが、本発明は上記した実施の形態に限定されることなく、本発明の技術的思想に基づいて各種の変更が可能である。
例えば、上記した実施の形態では、カートリッジとして光ディスクを収納したディスクカートリッジを示したが、光ディスク、光磁気ディスク等のディスク類を収納したカートリッジや磁気テープ等を収納したカートリッジ等の各種の記録媒体を収納した各種のカートリッジが使用される各種のドライブ装置にも適用可能である。
【図面の簡単な説明】
【００２９】
【図１】本発明を適用したディスクドライブ装置におけるステージの上昇状態を示した一部切欠き正面図である。
【図２】本発明を適用したディスクドライブ装置におけるステージの下降状態を示した一部切欠き正面図である。
【図３】図１の一部切欠き側面図である。
【図４】図２の一部切欠き側面図である。
【図５】従来のディスクドライブ装置におけるステージの上昇状態を示した一部切欠き正面図である。
【図６】従来のディスクドライブ装置におけるステージの下降状態を示した一部切欠き正面図である。
【図７】図５の一部切欠き側面図である。
【図８】図６の一部切欠き側面図である。
【符号の説明】
【００３０】
１    ドライブ装置であるディスクドライブ装置
２    補強用フレーム
２ａ  補強用フレームの底板部
２ｂ  補強用フレームの側板部
３    スライド板
３ａ  スライド板の底板部
３ｂ  スライド板の側板部
７    外筐
７ａ  外筐の外筐底部
７ｂ  外筐の外筐上部
１１  記録媒体である光ディスク
１２  カートリッジであるディスクカートリッジ
１６  メカデッキ
１８  緩衝手段
１９  メカデッキフレーム
１９ｂ  メカデッキのステージ支持フレーム
２５  スピンドルモータ
２６  高さ基準ピン兼用位置決めピン
２７  高さ基準ピン
３０  ローディング機構
３１  ステージ
３５  スライドカム機構
Ｈ１  外筐の高さ
Ｈ２  衝撃ゾーン
【図１】
2006139885.tif 000003
【図２】
2006139885.tif 000004
【図３】
2006139885.tif 000005
【図４】
2006139885.tif 000006
【図５】
2006139885.tif 000007
【図６】
2006139885.tif 000008
【図７】
2006139885.tif 000009
【図８】
2006139885.tif 000010